【手続補正書】
【提出日】平成22年7月5日(2010.7.5)
【手続補正１】
【補正対象書類名】明細書
【補正対象項目名】００２３
【補正方法】変更
【補正の内容】
【００２３】
プラスチックフィルムの熱収縮率は、日本工業規格ＪＩＳＫ７１３３：１９９９「プラスチック−フィルム及びシート−加熱寸法変化測定方法」に準拠して測定した、同じプラスチックフィルムの、縦方向と横方向の熱収縮率の平均値でもって表すこととする。熱収縮率を測定する際の加熱の条件のうち、加熱の温度を１５０℃としているのは、硬化性インクの、加熱による硬化時の温度での、プラスチックフィルムの実際の熱収縮率を把握するために、前記硬化時の温度と一致させるためであり、加熱の時間を３分間としているのは、前記硬化時に、硬化反応が進んで、マスク層が、作業面の膨張、収縮の影響を受けにくくなるのに要する時間と一致させるためである。
【手続補正２】
【補正対象書類名】明細書
【補正対象項目名】００２５
【補正方法】変更
【補正の内容】
【００２５】
作業面を離型処理するためには、例えばワックスの層等の、マスク層を形成する硬化性インクの硬化物に対する離型性を有する離型層を、前記作業面を覆うように形成すればよい。ただし、基材として、例えばＰＰのフィルム等の、それ自体が、マスク層を形成する硬化性インクの硬化物に対する離型性を有するフィルムを用いることで、作業面を離型処理してもよく、その場合には離型層を省略することができる。離型層を形成するワックスとしては、例えば動物系ワックス、植物系ワックス、鉱物ワックス、石油系ワックス（パラフィンワックスやマイクロクリスタリンワックス等）、ポリエチレンワックス、脂肪酸系ワックス（ステアリン酸ワックス、エステルワックス等）、あるいは脂肪酸アミド等の１種または２種以上が挙げられる。
【手続補正３】
【補正対象書類名】明細書
【補正対象項目名】００３１
【補正方法】変更
【補正の内容】
【００３１】
環状エーテル基としてオキシラン基を有する、前記液状の化合物としては、例えばグリシジルメタクリレート、（メタ）アクリロイル基含有脂環式エポキシ樹脂、エチレングリコールジグリシジルエーテル、ジエチレングリコールジグリシジルエーテル、ポリエチレングリコールジグリシジルエーテル、プロピレングリコールジグリシジルエーテル、トリプロピレングリコールジグリシジルエーテル、ポリプロピレングリコールジグリシジルエーテル、ネオペンチルグリコールジグリシジルエーテル、１，６−ヘキサンジオールジグリシジルエーテル、グリセリンジグリシジルエーテル、トリメチロールプロパントリグリシジルエーテル、レゾルシノールジグリシジルエーテル、水添ビスフェノールＡジグリシジルエーテル、２−エチルヘキシルグリシジルエーテル、フェニルグリシジルエーテル、ジブロモフェニルグリシジルエーテル、フェノールノボラック型エポキシ樹脂、ｔ−ブチルカテコール変性型エポキシ樹脂、脂環式エポキシ樹脂、カルド変性エポキシ樹脂等の１種または２種以上が挙げられる。
【手続補正４】
【補正対象書類名】明細書
【補正対象項目名】００３２
【補正方法】変更
【補正の内容】
【００３２】
また、オキセタニル基を有する液状の化合物としては、例えば３−エチル−３−ヒドロキシメチルオキセタン、１，４−ビス[［（３−エチル−３−オキセタニル）メトキシ］メチル]ベンゼン、３−エチル−３−（フェノキシメチル）オキセタン、ジ［１−エチル（３−オキセタニル）］メチルエーテル、３−エチル−３−（２−エチルヘキシロキシメチル）オキセタン、４，４′−ビス［３−エチル−（３−オキセタニル）メトキシメチル］ビフェニル、シルセスキオキサン変性型オキセタン、オキセタン(メタ)アクリレート等の１種または２種以上が挙げられる。
【手続補正５】
【補正対象書類名】明細書
【補正対象項目名】００３８
【補正方法】変更
【補正の内容】
【００３８】
特に好適な化合物としては、ジアゾニウム、アンモニウム、ヨードニウム、スルホニウム、ホスホニウムなどの芳香族オニウム化合物のＢ（Ｃ6Ｆ5）4-、ＰＦ6-、ＡｓＦ6-、ＳｂＦ6-、ＣＦ3ＳＯ3-塩が挙げられ、中でも対アニオンとしてボレート化合物をもつものが、酸発生能力が高く好ましい。また、スルホン酸を発生するスルホン化物、ハロゲン化水素を光発生するハロゲン化物、鉄アレーン錯体等も好適である。さらに、カチオン光重合開始剤については、津田譲著「超ＬＳＬレジストの分子設計」〔共立出版、１９９０〕の５５ページから７８ページに記載の光酸発生剤化合物を使用することもできる。カチオン光重合開始剤は、１種単独で使用してもよいし、２種以上を併用してもよい。カチオン光重合開始剤の添加量は、カチオン重合性の樹脂前駆体１００質量部に対して３質量部以上、１５質量部以下、特に５質量部以上、１０質量部以下であるのが好ましい。
【手続補正６】
【補正対象書類名】明細書
【補正対象項目名】００４３
【補正方法】変更
【補正の内容】
【００４３】
トリメチロールプロパントリアクリレート、ＥＯ変性トリメチロールプロパントリアクリレート、ペンタエリスリトールトリアクリレート、ペンタエリスリトールテトラアクリレート、ジペンタエリスリトールヘキサアクリレート、ジトリメチロールプロパンテトラアクリレート、グリセリンプロポキシトリアクリレート、カプロラクトン変性トリメチロールプロパントリアクリレート、ペンタエリスリトールエトキシテトラアクリレート、カプロラクタム変性ジペンタエリスリトールヘキサアクリレート等の３官能以上の多官能モノマー類。
【手続補正７】
【補正対象書類名】明細書
【補正対象項目名】００４６
【補正方法】変更
【補正の内容】
【００４６】
その他のラジカル光重合開始剤としては、例えばアセトフェノン、２，２−ジエトキシアセトフェノン、ｐ−ジメチルアミノアセトフェノン、ベンゾフェノン、２−クロロベンゾフェノン、ｐ，ｐ′−ジクロロベンゾフェノン、ｐ，ｐ′−ビスジエチルアミノベンゾフェノン、ミヒラーケトン、ベンジル、ベンゾイン、ベンゾインメチルエーテル、ベンゾインエチルエーテル、ベンゾインイソプロピルエーテル、ベンゾイン−ｎ−プロピルエーテル、ベンゾインイソブチルエーテル、ベンゾイン−ｎ−ブチルエーテル、ベンジルメチルケタール、チオキサントン、２−クロロチオキサントン、２−ヒドロキシ−２−メチル−１−フェニル−１−オン、１−（４−イソプロピルフェニル）２−ヒドロキシ−２−メチルプロパン−１−オン、メチルベンゾイルフォーメート、１−ヒドロキシシクロヘキシルフェニルケトン、アゾビスイソブチロニトリル、ベンゾイルペルオキシド、ジ−ｔｅｒｔ−ブチルペルオキシド等が挙げられる。
【手続補正８】
【補正対象書類名】明細書
【補正対象項目名】００５７
【補正方法】変更
【補正の内容】
【００５７】
分散剤は、着色剤１００質量部に対して０．５質量部以上、２質量部以下の割合で含有させるのが好ましい。０．５質量部未満では、着色剤の分散性を向上する効果が得られないおそれがあり、逆に２質量部を超える場合には、マスク層の耐溶剤性や耐磨耗性などが低下するおそれがある。増感剤としては、例えばトリメチルアミン、メチルジメタノールアミン、トリエタノールアミン、ｐ−ジエチルアミノアセトフェノン、ｐ−ジメチルアミノ安息香酸エチル、ｐ−ジメチルアミノ安息香酸イソアミル、Ｎ，Ｎ−ジメチルベンジルアミン、４，４′−ビス（ジエチルアミノ）ベンゾフェノン等のアミン類が挙げられる。
【手続補正９】
【補正対象書類名】明細書
【補正対象項目名】００６２
【補正方法】変更
【補正の内容】
【００６２】
〈基材〉
スクリーン印刷版の製造工程を実施するための作業面を構成する基材としては、下記２種のフィルムを用意した。
フィルム(1)：厚みが１００μｍで、１５０℃で３分間、加熱した際の、面方向の熱収縮率が０．１％であるＰＥＴフィルム。